(57)【特許請求の範囲】
【請求項１】
少なくとも音声データと映像データ又は文字データとが含まれた多重データを受信する多重データ受信部と、
前記多重データから前記音声データと前記映像データ又は前記文字データとを抽出する抽出部と、
電話音声データの送受信を行う電話部と、
前記抽出部により抽出された抽出音声データ又は前記電話部により受信された前記電話音声データのいずれかを出力する音声出力部と、
表示出力部とを有し、
前記電話部による前記電話音声データの送受信中に前記多重データ受信部による多重データの受信を開始するイベントの発生を検知した場合に、前記電話部による前記電話音声データの送受信を継続するとともに前記多重データ受信部による前記多重データの受信を開始させ、前記音声出力部に前記電話音声データを出力させるとともに前記表示出力部に前記抽出映像データ及び前記抽出文字データの少なくともいずれかを出力させる
ことを特徴とする通信装置。
【請求項２】
通信装置は、さらに、バイブレータを有し、
電話部による電話音声データの送受信中に前記多重データ受信部による多重データの受信を開始するイベントの発生を検知した場合に、前記バイブレータを振動させる
ことを特徴とする請求項１記載の通信装置。
【請求項３】
多重データ受信部による前記多重データの受信中に終話イベントの発生を検知した場合に、多重データ受信部による多重データの受信を継続させ、音声出力部には抽出音声データを出力させる
ことを特徴とする請求項１記載の通信装置。
【請求項４】
多重データ受信部による前記多重データの受信中に終話イベントの発生を検知した場合に、多重データ受信部による多重データの受信を継続させ、表示出力部には抽出文字データを出力せずに抽出映像データを出力させる
ことを特徴とする請求項１記載の通信装置。
【発明の詳細な説明】
【技術分野】
【０００１】
本発明は電話機能とデジタル放送受信機能を併せ持つ通信装置及び電話音声データの送受信処理とデジタル放送の受信処理とを行う通信方法に関するものである。
【背景技術】
【０００２】
携帯電話の急速な普及はＷＥＢブラウザやＥメールなど本来の通話機能以外の機能を搭載したことに多く起因している。昨今もＪａｖａ（登録商標）アプリケーションやＴＶ電話など新規機能の搭載が日進月歩で行われている。
【０００３】
日本ではすでにＣＳ（Ｃｏｍｍｕｎｉｃａｔｉｏｎ  Ｓａｔｅｌｌｉｔｅ）・ＢＳ（Ｂｒｏａｄｃａｓｔｉｎｇ  Ｓａｔｅｌｌｉｔｅ）などのデジタル衛星放送サービスが始まり、地上波放送でも２００３年にデジタル放送サービスが開始される予定である。さらに地上波デジタル放送の受信端末は部分受信を行う携帯型も開発が進められており、サービスの開始に向け準備されている。
【０００４】
今後、携帯電話はＷＥＢブラウザやＥメール以外にもデジタル放送受信機能を備えることが予想されるが、現時点では本発明が課題とする分野の従来技術は見当たらない。
【０００５】
参考技術として特開平６−１６５０７３を挙げる。
【０００６】
図８にその構成図を示す。この発明ではリモコン送信器９または本体キーボード８により消音ボタンが押された時、消音処理を行うと同時にキャプションデコーダオンオフ制御部１０がキャプションデコーダ３をオンにし、表示処理部５により多重化されているキャプションデータを表示するものである。
【０００７】
逆に消音中でかつキャプションデコーダオン中にリモコン送信器９まはた本体キーボード８により消音解除ボタンが押された時、消音解除処理を行うと同時にキャプションデコーダオンオフ制御部１０がキャプションデコーダ３をオフにし、映像のみを表示処理部５により表示するものである。
【特許文献１】特開平６−１６５０７３号公報
【発明の開示】
【発明が解決しようとする課題】
【０００８】
特開平６−１６５０７３は音声を消音しキャプションデータを表示するのみで他の機能の実現を目的にしたものではない。
【０００９】
携帯電話とデジタル放送受信機の融合が予測される中、デジタル放送番組を視聴中に電話の着信がある場合や、逆に電話の発信が要求される場面も想定される。
【００１０】
さらに携帯電話とデジタル放送受信機のハイブリッド端末は画面サイズが小さいことが予想され常時字幕放送を表示させるのは見やすさの点から問題がある。
【００１１】
本発明の目的はデジタル放送の視聴と電話の“ながら通話”を可能とし、デジタル放送の字幕放送の表示を最小時間とすることである。
【課題を解決するための手段】
【００１２】
この発明に係る通信装置は、少なくとも音声データと映像データ又は文字データとが含まれた多重データを受信する多重データ受信部と、
前記多重データから前記音声データと前記映像データ又は前記文字データとを抽出する抽出部と、
電話音声データの送受信を行う電話部と、
前記抽出部により抽出された抽出音声データ又は前記電話部により受信された前記電話音声データのいずれかを出力する音声出力部と、
表示出力部とを有し、
前記電話部による前記電話音声データの送受信中に前記多重データ受信部による多重データの受信を開始するイベントの発生を検知した場合に、前記電話部による前記電話音声データの送受信を継続するとともに前記多重データ受信部による前記多重データの受信を開始させ、前記音声出力部に前記電話音声データを出力させるとともに前記表示出力部に前記抽出映像データ及び前記抽出文字データの少なくともいずれかを出力させる
ことを特徴とする。
【００１３】
この発明に係る通信装置は、少なくとも音声データが含まれた多重データを受信する多重データ受信部と、
前記多重データから前記音声データを抽出する抽出部と、
電話音声データの送受信を行う電話部と、
前記抽出部により抽出された抽出音声データ又は前記電話部により受信された前記電話音声データのいずれかを出力する音声出力部とを有し、
前記多重データ受信部による前記多重データの受信中に着信イベントの発生又は発信イベントの発生のいずれか一方を検知した場合に、前記多重データ受信部による前記多重データの受信を継続するとともに前記電話部に前記電話音声データの送受信を開始させ、前記音声出力部に前記電話音声データを出力させる
ことを特徴とする。
【００１４】
また、多重データ受信部は、映像データ及び文字データが含まれた多重データを受信し、
抽出部は、前記多重データから前記映像データ又は前記文字データを抽出し、
前記通信装置は、更に、前記抽出部により抽出された抽出映像データ又は前記抽出文字データを出力する表示出力部を有し、
前記多重データ受信部による前記多重データの受信中に着信イベントの発生又は発信イベントの発生のいずれか一方を検知した場合に、前記抽出部に前記映像データの抽出を継続するとともに前記文字データの抽出を開始させ、前記表示出力部に前記抽出映像データ及び前記抽出文字データを出力させる
ことを特徴とする。
【００１５】
また、音声出力部は、抽出音声データ又は電話音声データのいずれかを音量を拡大して出力する拡声音声出力部と、前記電話音声データを通常の音量で出力するイヤー音声出力部とからなり、
多重データ受信部による多重データの受信中に着信イベントの発生又は発信イベントの発生のいずれか一方を検知した場合に、前記拡声音声出力部に前記電話音声データを出力させる
ことを特徴とする。
【００１６】
この発明に係る通信装置は、少なくとも音声データが含まれた多重データを受信する多重データ受信部と、
前記多重データから前記音声データを抽出する抽出部と、
電話音声データの送受信を行う電話部と、
前記抽出部により抽出された抽出音声データ又は前記電話部により受信された前記電話音声データのいずれかを出力する音声出力部とを有し、
前記電話部による前記電話音声データの送受信中に試聴開始イベントの発生を検知した場合に、前記電話部による前記電話音声データの送受信を継続して前記音声出力部に前記電話音声データを出力させるとともに、前記多重データ受信部による前記多重データの受信を開始させる
ことを特徴とする。
【００１７】
また、多重データ受信部は、映像データ及び文字データが含まれた多重データを受信し、
抽出部は、前記多重データから前記映像データ又は前記文字データを抽出し、
前記通信装置は、さらに、前記抽出部により抽出された抽出映像データ又は前記抽出文字データを出力する表示出力部を有し、
前記電話部による前記電話音声データの送受信中に視聴開始イベントの発生を検知した場合に、前記抽出部に前記映像データ及び前記文字データの抽出を開始させ、前記表示出力部に前記抽出映像データ及び前記抽出文字データを出力させる
ことを特徴とする。
【００１８】
また、音声出力部は、抽出音声データ又は電話音声データのいずれかを音量を拡大して出力する拡声音声出力部と、前記電話音声データを通常の音量で出力するイヤー音声出力部とからなり、
前記電話部による前記電話音声データの送受信中に視聴開始イベントの発生を検知した場合に、前記拡声音声出力部に前記電話音声データを出力させる
ことを特徴とする。
【００１９】
また、通信装置は、さらに、バイブレータを有し、
電話部による電話音声データの送受信中に視聴開始イベントの発生を検知した場合に、前記バイブレータを振動させる
ことを特徴とする。
【００２０】
また、電話部による電話音声データの送受信中に終話イベントの発生を検知した場合に、多重データ受信部による多重データの受信を継続するとともに抽出部に抽出音声データの抽出を開始させ、音声出力部に前記抽出音声データを出力させる
ことを特徴とする。
【００２１】
また、電話部による電話音声データの送受信中に終話イベントの発生を検知した場合に、抽出部に映像データの抽出を継続するとともに抽出文字データの抽出を停止させ、表示出力部に前記抽出文字データを出力せず前記抽出映像データを出力させる
ことを特徴とする。
【発明の効果】
【００２２】
本発明によれば、多重データの受信中に着信イベント又は発信イベントが発生した場合には音声出力を受信電話音声データに切り替え、また多重データの受信中に終話イベントが発生した場合には音声出力を抽出音声データに切り替えるため、多重データの受信・出力と通話の双方を実現することができる。
【発明を実施するための最良の形態】
【００２３】
実施の形態１．
図１はこの発明の実施の形態１に係る携帯電話とデジタル放送受信のハイブリッド端末を示すものであり、図において１０１はデジタル放送チューナー部、１０２はデジタル放送復調部、１０３は多重伝送分離部、１０４は番組情報処理部であり、１０５は字幕・データ放送処理部であり、１０６はデジタル放送映像処理部、１０７はデジタル放送音声処理部、１０８は表示重畳部、１０９は音声パス切替制御部、１１０は表示出力部、１１１は音声出力部、１１２はイベント解析処理部、１１３は電話ＲＦ部、１１４は電話音声処理部、１１５は音声入力部、１１６は通話・終話ボタン、１１７はＣＰＵ、１１８はメモリである。
【００２４】
デジタル放送チューナー部１０１は、映像データ、音声データ、字幕データ（文字データ）等が多重化されたデジタル放送波を受信する。デジタル放送チューナー部１０１は、多重データ受信部の例であり、また、デジタル放送チューナー部１０１が受信するデジタル放送波は、多重データの例である。
【００２５】
デジタル放送復調部１０２は、デジタル放送チューナー部１０１で受信されたデジタル放送波に対する復調処理を行う。
【００２６】
多重伝送分離部１０３は、多重化されているデータから該当するストリームやセクションデータを分離する（映像データ、音声データ等を抽出する）。デジタル放送処理では既知の技術なので詳細は記述しない。多重伝送分離部１０３は、所定の場合に、デジタル放送の音声データの分離停止と字幕データの分離開始を行う。なお、多重伝送分離部１０３は、抽出部の例である。また、多重伝送分離部１０３により分離された映像データは抽出映像データに相当し、音声データは抽出音声データに相当し、字幕データは抽出文字データに相当する。
【００２７】
番組情報処理部１０４は、デジタル放送波で送出されてくる番組情報により放送番組に多重化されている映像データ、音声データ、字幕データ（文字データ）などのモノメディアやデータ放送の存在が判断でき、その分離情報を知ることができる。デジタル放送処理では既知の技術なので詳細は記述しない。また、番組情報処理部１０４は番組情報を参照して多重伝送分離部１０３へデジタル放送の音声データの分離停止と字幕データが存在する場合は字幕データの分離開始を指示する。また、字幕データが存在しない場合はデジタル放送の音声データの分離停止と消音の指示のみを行う。
【００２８】
なお、番組情報処理部１０４は、後述するイベント解析処理部１１２とともに、指示部の例に相当する。
【００２９】
字幕・データ放送処理部１０５は、字幕データやその他各種データを表示する際に必要なデータ処理（例えば、字幕データのデコード処理）を行う。
【００３０】
デジタル放送映像処理部１０６は、映像データを表示する際に必要なデータ処理（例えば、映像データのデコード処理）を行う。
【００３１】
デジタル放送音声処理部１０７は、音声データを出力する際に必要なデータ処理（例えば、音声データのデコード処理）を行う。また、所定の場合に、音声データの消音処理を行う。
【００３２】
表示重畳部１０８は、異なる映像データを重畳したり、映像データに字幕データを重畳する機能を持つ。また、重畳した映像データや字幕データを表示出力部１１０に表示する。デジタル放送処理では既知の技術なので詳細は記述しない。
【００３３】
表示出力部１１０は、表示重畳部１０８により重畳されたデータを表示する。
【００３４】
音声パス切替制御部１０９は音声パス（音声出力部１１１への入力）を電話側又はデジタル放送音声側に切替え、音声を音声出力部１１１から出力させる。なお、音声パス切替制御部１０９は、切替制御部の例である。
【００３５】
音声出力部１１１は、音声パスが電話側にあるときは、電話音声処理部１１４からの電話音声データを出力し、音声パスがデジタル放送音声側にあるときは、デジタル放送音声処理部１０７からの音声データを出力する。
【００３６】
イベント解析処理部１１２は、利用者がデジタル放送の映像、音声を視聴中に電話の着信又は発信があった場合に、番組情報処理部１０４へデジタル放送音声の消音と字幕データの表示を指示する。また、イベント解析処理部１１２は、同時に音声パス切替制御部１０９へ音声パスを電話音声処理部の出力側へ切替えるよう指示する。更には、利用者がデジタル放送の視聴中に通話を終了した場合には、イベント解析処理部１１２は番組情報処理部１０４へデジタル放送の音声データの復帰と字幕データの消去を指示する。またイベント解析処理部１１２は音声パス切替制御部１０９へ音声パスをデジタル放送音声処理部１０７の出力側へ切替えるよう指示する。
【００３７】
なお、イベント解析処理部１１２及び番組情報処理部１０４をあわせたものが指示部の例に相当する。
【００３８】
電話ＲＦ部１１３、電話音声処理部１１４、音声入力部１１５及び通話・終話ボタン１１６は、電話機能を実現する要素であり、これらはあわせて電話部に相当する。
【００３９】
また、本実施の形態に係るハイブリッド端末は、通信装置の例である。
【００４０】
次に動作について説明する。
【００４１】
まず、利用者がデジタル放送番組を視聴中に、電話の着信があった場合について説明する。
【００４２】
この場合は、デジタル放送チューナー部１０１によりデジタル放送波が受信されており、また、多重伝送分離部１０３で、映像データ、音声データの分離処理が行われ、表示出力部１１０より映像データが出力され、音声出力部１１１より音声データが出力されている状態である。また、音声パス切替制御部１０９により音声パスはデジタル放送音声側に設定されている。
【００４３】
利用者がデジタル放送番組を視聴中に、電話の着信があった場合は、電話ＲＦ部１１３がイベント解析処理部１１２へ着信イベントをあげる。
【００４４】
イベント解析処理部１１２では、着信イベントを検知し、番組情報処理部１０４にデジタル放送音声の消音と字幕データの表示を指示する。同時に、イベント解析処理部１１２は、音声パス切替制御部１０９に対して指示メッセージ（受信電話音声データ切替指示）を送信し、音声パスを電話音声処理部１１４の出力側へ切替るよう指示する。
【００４５】
番組情報処理部１０４は、番組情報を参照して多重伝送分離部１０３に対して指示メッセージを送信する。具体的には、デジタル放送の音声データの分離停止を指示する指示メッセージ（音声データ抽出停止指示）を送信し、更に、字幕データが存在する場合は、字幕データの分離開始を指示する指示メッセージ（文字データ抽出開始指示）を送信する。字幕データが存在しない場合には、デジタル放送の音声データの分離停止のみを指示する。
【００４６】
多重伝送分離部１０３は、デジタル放送の音声データの分離停止と字幕データの分離開始を行い、デジタル放送音声処理部１０７は消音処理を行い、字幕・データ放送処理部１０５は字幕データをデコードする。
【００４７】
表示重畳部１０８は映像データに字幕データを重畳し表示出力部１１０に表示する。
【００４８】
また、音声パス切替制御部１０９は音声パスを電話側に切替える。
【００４９】
利用者が通話・終話ボタン１１６を押すと、イベント解析処理部１１２が通話開始イベントを受け、電話ＲＦ部１１３に対して指示メッセージ（電話音声データ送受信開始指示）を送信して、電話音声データの送受信の開始を指示し、通話を開始させる。
【００５０】
利用者がデジタル放送番組を視聴中に、利用者が電話の発信を行う場合も上述した処理と同様の処理を行う。
【００５１】
つまり、利用者が通話・終話ボタン１１６を押すと、イベント解析処理部１１２が発信イベントを検知し、番組情報処理部１０４にデジタル放送音声の消音と字幕データの表示を指示する。同時に、イベント解析処理部１１２は、音声パス切替制御部１０９に対して指示メッセージ（受信電話音声データ切替指示）を送信し、音声パスを電話音声処理部１１４の出力側へ切替るよう指示する。
【００５２】
そして、番組情報処理部１０４は、番組情報を参照して多重伝送分離部１０３に対してデジタル放送の音声データの分離停止を指示する指示メッセージ（音声データ抽出停止指示）及び、字幕データが存在する場合は、字幕データの分離開始を指示する指示メッセージ（文字データ抽出開始指示）を送信する。多重伝送分離部１０３は、デジタル放送の音声データの分離停止と字幕データの分離開始を行い、デジタル放送音声処理部１０７は消音処理、字幕・データ放送処理部１０５は字幕データのデコードを行う。
【００５３】
表示重畳部１０８は映像データに字幕データを重畳し表示出力部１１０に表示する。
【００５４】
また、音声パス切替制御部１０９は音声パスを電話側に切替える。
【００５５】
また、イベント解析処理部１１２は、電話ＲＦ部１１３に対して指示メッセージ（電話音声データ送受信開始指示）を送信して、電話音声データの送受信の開始を指示し、通話を開始させる。
【００５６】
次に、利用者が通話を終了した場合の動作を説明する。
【００５７】
なお、この場合は、デジタル放送チューナー部１０１によりデジタル放送波が受信されており、また、多重伝送分離部１０３で、映像データ及び字幕データの分離処理は行われているが、音声データの分離処理は停止しており、表示出力部１１０より映像データ及び字幕データが出力されている状態である。また、電話ＲＦ部１１３、電話音声処理部１１４、音声入力部１１５により電話音声データの送受信が行われ、音声出力部１１１からは電話音声データが出力されている。更には、音声パス切替制御部１０９により音声パスは電話側に設定されている。
【００５８】
利用者が通話・終話ボタン１１６を押すと、イベント解析処理部１１２が終話イベントを検知し、電話ＲＦ部１１３に対して指示メッセージ（電話音声データ送受信停止指示）を送信して、通話を終了させる。
【００５９】
対話者（通話相手）が先に終話した場合は電話ＲＦ部１１３が終話イベントをイベント解析処理部１１２へあげる。
【００６０】
また、同時に、イベント解析処理部１１２は、番組情報処理部１０４へデジタル放送の音声データの分離開始（デジタル放送音声の復帰）と字幕データの分離停止（字幕放送の消去）を指示する。更に、イベント解析処理部１１２は、音声パス切替制御部１０９に対して指示メッセージ（抽出音声データ切替指示）を送信し、音声パスをデジタル放送音声処理部１０７の出力側へ切替えるよう指示する。
【００６１】
番組情報処理部１０４は、多重伝送分離部１０３に対して指示メッセージ（音声データ抽出開始指示及び文字データ抽出停止指示）を送信して、デジタル放送の音声データの分離開始と字幕データの分離停止を指示する。
【００６２】
多重伝送分離部１０３は、デジタル放送の音声データの分離開始と字幕データの分離停止を行い、デジタル放送音声処理部１０７は音声デコード処理を開始し、字幕・データ放送処理部１０５は字幕データのデコードを停止する。
【００６３】
この結果、表示重畳部１０８は、デジタル放送映像処理部１０６から出力された映像データのみを表示出力部１１０に表示する。
【００６４】
イベント解析処理部１１２により指示メッセージを受信した音声パス切替制御部１０９は音声パスをデジタル放送音声側に切替え、デジタル放送の音声データを音声出力部１１１から出力させる。
【００６５】
図２は着信および発信時のハイブリッド端末の内部動作のフローを示したものである。図３はイベント解析処理部が扱うイベント・状態の例である。図３（ａ）は、イベント解析処理部が管理する状態を表し、図３（ｂ）は、イベント解析処理部が管理するイベントを表している。
【００６６】
このように構成された携帯電話とデジタル放送受信機のハイブリッド端末によれば、デジタル放送視聴中に着信した場合又は発信する場合に、利用者に通話とデジタル放送受信の両者を提供することが可能となる。また、このハイブリッド端末では、通話中のみ字幕データを表示することとしているので、小さい画面での字幕データの表示時間を少なくすることができる。
【００６７】
実施の形態２．
図４はこの発明の実施の形態２に係るハンズフリー機能を持った携帯電話とデジタル放送受信機のハイブリッド端末を示すものであり、図において１０１はデジタル放送チューナー部、１０２はデジタル放送復調部、１０３は多重伝送分離部、１０４は番組情報処理部であり、１０５は字幕・データ放送処理部であり、１０６はデジタル放送映像処理部、１０７はデジタル放送音声処理部、１０８は表示重畳部、１０９は音声パス切替制御部、１１０は表示出力部、１１２はイベント解析処理部、１１３は電話ＲＦ部、１１４は電話音声処理部、１１５は音声入力部、１１６は通話・終話ボタン、１１７はＣＰＵ、１１８はメモリ、２０１はハンズフリー制御部、２０２は拡声音声出力部、２０３はイヤー音声出力部である。
【００６８】
拡声音声出力部２０２はハンズフリーモードでの携帯電話の電話音声データとデジタル放送の音声データの出力用である。イヤー音声出力部２０３は通常モードでの携帯電話の電話音声データの出力用である。
【００６９】
ハンズフリー制御部２０１はハンズフリーのオン・オフ制御を行う。ハンズフリーは携帯電話では既知の技術なので詳細は述べない。なお、ハンズフリー制御部２０１は、拡声音声イヤー音声選択部の例である。
【００７０】
実施の形態１と同様にデジタル放送視聴中に携帯電話の着信があった場合又は発信を行う場合、イベント解析処理部１１２により音声パスは電話側に切替えられるが、その時、イベント解析処理部１１２はハンズフリー制御部２０１にハンズフリーモードのオンを要求し（拡声音声選択指示を送信し）、ハンズフリー制御部２０１はハンズフリーモードをオンにする（拡声音声出力部を選択する）。なお、その他の処理は、実施の形態１と同じである。
【００７１】
このように構成された携帯電話とデジタル放送受信機のハイブリッド端末によれば、デジタル放送受信時に着信した場合、自動でハンズフリーモードへ移行し快適にデジタル放送受信と同時に携帯電話の通話を行うことが可能となる。
【００７２】
実施の形態３．
図５はこの発明の実施の形態３に係る番組視聴予約可能な携帯電話とデジタル放送受信機のハイブリッド端末を示すものであり、図において１０１はデジタル放送チューナー部、１０２はデジタル放送復調部、１０３は多重伝送分離部、１０４は番組情報処理部であり、１０５は字幕・データ放送処理部であり、１０６はデジタル放送映像処理部、１０７はデジタル放送音声処理部、１０８は表示重畳部、１０９は音声パス切替制御部、１１０は表示出力部、１１１は音声出力部、１１２はイベント解析処理部、１１３は電話ＲＦ部、１１４は電話音声処理部、１１５は音声入力部、１１６は通話・終話ボタン、１１７はＣＰＵ、１１８はメモリ、３０１は視聴予約処理部である。
【００７３】
視聴予約処理部３０１はデジタル放送波によって送出される番組情報を用いて番組の予定を解析し視聴予約をできる。デジタル放送処理では既知の技術なので詳細は記述しない。なお、視聴予約処理部３０１は、多重データ受信開始時刻管理部の例である。
【００７４】
この発明の実施の形態３では、あらかじめ視聴予約されている番組が視聴予約処理部３０１の予約機能により開始するとき、視聴予約処理部３０１は、デジタル放送チューナー部１０１に対して受信開始を指示する（多重データ受信開始指示の送信）とともに、イベント解析処理部１１２に視聴開始イベントをあげ（多重データ受信開始通知の送信）、イベント解析処理部１１２は利用者が通話中か否かの判定、即ち、電話音声データの送受信が行われているか否かの判定を行う。
【００７５】
利用者が通話中（電話音声データの送受信中）ならば、イベント解析処理部１１２は番組情報処理部１０４に対しデジタル放送音声の消音と字幕データの表示を指示する。また、イベント解析処理部１１２は、音声パス切替制御部１０９に音声パスの切替を指示せず、音声パスをそのまま電話側とする。なお、その他の処理は、実施の形態１と同じである。
【００７６】
図６にデジタル放送視聴開始時のの制御フローを示す。
【００７７】
運用としては実施の形態２で示したように通話はハンズフリーモードへ移行して行われることが望ましい。
【００７８】
このように構成された携帯電話とデジタル放送受信機のハイブリッド端末によれば、通話中に視聴予約されたデジタル放送番組が開始してもデジタル放送受信と電話の同時利用が可能となる。
【００７９】
実施の形態４．
図７はこの発明の実施の形態４に係る番組視聴予約可能な携帯電話とデジタル放送受信機のハイブリッド端末を示すものであり、図において１０１はデジタル放送チューナー部、１０２はデジタル放送復調部、１０３は多重伝送分離部、１０４は番組情報処理部であり、１０５は字幕・データ放送処理部であり、１０６はデジタル放送映像処理部、１０７はデジタル放送音声処理部、１０８は表示重畳部、１０９は音声パス切替制御部、１１０は表示出力部、１１１は音声出力部、１１２はイベント解析処理部、１１３は電話ＲＦ部、１１４は電話音声処理部、１１５は音声入力部、１１６は通話・終話ボタン、１１７はＣＰＵ、１１８はメモリ、３０１は視聴予約処理部、４０１はバイブレータ制御部、４０２はバイブレータである。
【００８０】
バイブレータ制御部４０１、バイブレータ４０２は携帯電話の着信を知らせることにも使用される。これは既知の技術なので詳細は述べない。
【００８１】
この発明の実施の形態４では、あらかじめ視聴予約されている番組が視聴予約処理部３０１の予約機能により開始するとき、イベント解析処理部１１２に視聴開始イベントをあげ、イベント解析処理部１１２は利用者が通話中か否かの判定を行う。
【００８２】
利用者が通話中の場合は、バイブレータ制御部４０１へ指示メッセージ（バイブレータ作動指示）を送信し、バイブレータオンを指示し、バイブレータ制御部４０１はバイブレータ４０２を振動させる。
【００８３】
以降は発明の実施の形態１に示した動作を行う。
【００８４】
このように構成された携帯電話とデジタル放送受信機のハイブリッド端末によれば、携帯電話の着信通知に使用されるバイブレータを視聴予約された番組の開始通知にも用いることにより利用者は通話中に視聴予約されていた番組が開始することを容易に知ることができる。
【００８５】
運用としては実施の形態２で示したように通話はハンズフリーモードへ移行して行われることが望ましい。
【００８６】
なお、実施の形態１〜４では、携帯電話とデジタル放送受信機のハイブリッド端末を例にして説明したが、実施の形態１〜４で説明した機構を有線の固定電話とデジタル放送受信機のハイブリッド端末に適用することも可能である。
【００８７】
また、実施の形態１〜４では、デジタル放送を受信するハイブリッド端末を例にして説明したが、実施の形態１〜４で説明した機構をアナログ放送を受信するハイブリッド端末に適用することも可能である。
【００８８】
更に、実施の形態１〜４では、本発明に係る通信装置の例について説明したが、実施の形態１〜４に示す処理手順にて本発明に係る通信方法も実現可能である。
【００８９】
ここで、実施の形態１〜４に示したハイブリッド端末の特徴を以下にて再言する。
【００９０】
実施の形態１〜４に示したハイブリッド端末は、デジタル放送を受信するチューナー部とデジタル放送を復調するデジタル放送復調部と多重化された伝送データを分離する多重伝送分離部と、番組情報を解析しデジタル放送チューナー部に選局指示し多重伝送分離部に分離指示を行う番組情報処理部と多重伝送分離部により分離された字幕データ放送をデコード処理する字幕・データ放送処理部と同じく多重伝送分離部により分離された映像放送をデコード処理するデジタル放送映像処理部と同じく多重伝送分離部により分離されたデジタル放送音声をデコード処理するデジタル放送音声処理部と字幕・データ放送と映像放送を重畳表示する表示重畳部と電話の無線処理を行う電話ＲＦ部と電話の音声を処理する電話音声処理部と電話の着信・発信イベントを解析・処理するイベント解析処理部とデジタル放送音声出力と電話音声出力を切り替える音声パス切替制御部と音声出力部から構成され、デジタル放送視聴中に電話着信があった場合に音声パスを電話側に切替えかつ字幕放送を表示し通話し、終話時には音声パスをデジタル放送音声側に切替え、字幕放送を消去しデジタル放送映像のみを表示することを特徴とする。
【００９１】
実施の形態１に示したハイブリッド端末は、デジタル放送視聴中の電話着信の場合、イベント解析処理部が番組情報処理部に字幕放送の分離表示とデジタル放送音声の分離停止・消音を要求し、同じくイベント解析処理部が音声パス切替制御部に音声パスの切替えを要求し、字幕表示、音声パスの切替えを行うことを特徴とする。
【００９２】
実施の形態１に示したハイブリッド端末は、デジタル放送視聴中に電話発信を行う場合、イベント解析処理部が番組放送処理部に字幕放送の表示を要求し、同じくイベント解析処理部が音声パス切替制御部に音声パスの切替えを要求し、字幕表示、音声パスの切替えを行うことを特徴とする。
【００９３】
実施の形態２に示したハイブリッド端末は、ハンズフリー制御部を付加し、デジタル放送視聴中の電話着信の場合、音声を消音し、字幕放送の表示を行い、同時にハンズフリーモードへ移行することを特徴とする。
【００９４】
実施の形態３に示したハイブリッド端末は、視聴予約処理部を付加し、電話通話中に視聴予約された番組が始まる場合、番組情報処理部が音声の代わりに字幕放送を出力することを特徴とする。
【００９５】
実施の形態４に示したハイブリッド端末は、バイブレータ制御部とバイブレータを加え、電話通話中に受信予約された番組が始まる場合、バイブレータにより利用者に番組開始を通知し、番組情報処理部が音声の代わりに字幕放送を出力することを特徴とする。
【００９６】
以上のように、本発明によれば、多重データの受信中に着信イベント又は発信イベントが発生した場合には音声出力を受信電話音声データに切り替え、また多重データの受信中に終話イベントが発生した場合には音声出力を抽出音声データに切り替えるため、多重データの受信・出力と通話の双方を実現することができる。
【００９７】
また、本発明によれば、多重データの受信中に着信イベント又は発信イベントが発生した場合に抽出文字データの表示を開始し、多重データの受信中に終話イベントが発生した場合に抽出文字データの表示を停止するため、文字データの表示時間を最小限にすることができる。
【００９８】
また、本発明によれば、多重データの受信中に着信イベント又は発信イベントが発生した場合に拡声音声による音声出力を行うため、多重データの受信・出力と通話の双方をハンズフリーで実現することができる。
【００９９】
また、本発明によれば、多重データ受信開始時刻に電話音声データの送受信が行われている場合には抽出音声データへの切替えを行わないため、通話中に多重データの受信が開始された場合であっても多重データの受信・出力と通話の双方を実現することができる。
【０１００】
また、本発明によれば、多重データ受信開始時刻に電話音声データの送受信が行われている場合にはバイブレータを作動させるため、通話中に多重データの受信が開始された場合であってもバイブレータにより多重データの受信開始を通知することができる。
【図面の簡単な説明】
【０１０１】
【図１】実施の形態１に係る携帯電話とデジタル放送受信機のハイブリッド端末の構成を示す図。
【図２】電話着信時の制御フローを示すフローチャート図。
【図３】イベント解析処理部が管理するイベントおよび状態を示す図。
【図４】実施の形態２に係る携帯電話とデジタル放送受信機のハイブリッド端末の構成を示す図。
【図５】実施の形態３に係る携帯電話とデジタル放送受信機のハイブリッド端末の構成を示す図。
【図６】デジタル放送視聴開始時の制御フローを示すフローチャート図。
【図７】実施の形態４に係る携帯電話とデジタル放送受信機のハイブリッド端末の構成を示す図。
【図８】従来の技術を示す図。
【図１】
0004402677.tif 000002
【図２】
0004402677.tif 000003
【図３】
0004402677.tif 000004
【図４】
0004402677.tif 000005
【図５】
0004402677.tif 000006
【図６】
0004402677.tif 000007
【図７】
0004402677.tif 000008
【図８】
0004402677.tif 000009